(57)【特許請求の範囲】
【請求項１】
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードとを介して確立し得るようになされたセッション管理システムであって、
前記第１交換ノードは、セッションの接続および切断の処理を含むセッション制御を行う第１セッション制御部と、当該セッションの接続に適用する前記第２交換ノードを判別する接続先判別部と、を備え、
前記複数の第２交換ノードは、セッションの接続および切断の処理を含むセッション制御を行う第２セッション制御部と、現在時点において自ノードがサポートしているセッション数を監視するセッション数監視部と、をそれぞれ備え、
前記両通信当事者間でセッションが確立されている場合において、
前記第２交換ノードは、
自ノードが備える前記セッション数監視部が前記セッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報を前記第１交換ノードに通知し、
前記第１交換ノードの前記接続先判別部は、
前記接続先情報に基づいて、前記複数の第２交換ノードのうち現時点でサポートしているセッション数が相対的に少ない一のノードを前記両通信当事者間のセッションに新たに適用する切替先第２交換ノードとして判別し、
前記第１交換ノードの前記第１セッション制御部は、
前記接続先判別部が判別した前記切替先第２交換ノードとのセッションを確立する
ことを特徴とするセッション管理システム。
【請求項２】
前記第１交換ノードの前記第１セッション制御部または前記第２交換ノードの前記第２セッション制御部は、
前記第１交換ノードの前記接続先判別部による前記切替先第２交換ノードの判別に先立って、前記第２交換ノードの要求により前記両通信当事者間に係るセッションを切断する
ことを特徴とする請求項１に記載のセッション管理システム。
【請求項３】
前記第１交換ノードは、ＳＧＳＮ（Serving GPRS Support Node）であり、
前記各第２交換ノードは、ＧＧＳＮ（Gateway GPRS Support Node）であることを特徴とする請求項１または請求項２に記載のセッション管理システム。
【請求項４】
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードとを介して確立し得るようになされたセッション管理システムにおける前記第１交換ノードに該当するセッション管理装置であって、
セッションの接続および切断の処理を含むセッション制御を行うセッション制御部と、当該セッションの接続に適用する前記第２交換ノードを判別する接続先判別部と、
を備え、
前記両通信当事者間でセッションが確立されている場合において、
前記接続先判別部は、
前記第２交換ノードから通知される、前記第２交換ノードが自ノードが備えるセッション数監視部において監視するセッション数であって現在時点で自ノードがサポートしているセッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報に基づいて前記複数の第２交換ノードのうち現時点でサポートしているセッション数が相対的に少ない一のノードを前記両通信当事者間のセッションに新たに適用する切替先第２交換ノードとして判別し、
前記セッション制御部は、
前記接続先判別部が判別した前記切替先第２交換ノードとのセッションを確立する
ことを特徴とするセッション管理装置。
【請求項５】
前記接続先判別部は、
前記接続先情報に含まれる前記セッション数情報に基づいて前記第２交換ノードにおいてセッション数の偏在が生じているか否かを判定し、該偏在が生じていると判定した場合に、前記切替先第２交換ノードの判別を行う
ことを特徴とする請求項４に記載のセッション管理装置。
【請求項６】
前記セッション管理システムは前記第２交換ノードと前記対向通信当事者との間に介在するルータをさらに備え、
前記接続先判別部において、前記接続先情報に含まれる前記第２切替え要求に基づいて前記切替先第２交換ノードを判別し、
前記切替先第２交換ノードに第１切替え要求を発信して、前記切替先第２交換ノードに、該切替先第２交換ノードを優先的に経由するルーティングが行われるように前記ルータに対するルーティング変更要求の発信を促す
ことを特徴とする請求項４に記載のセッション管理装置。
【請求項７】
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードとを介して確立し得るようになされたセッション管理システムにおける前記第２交換ノードに該当するセッション管理装置であって、
セッションの接続および切断の処理を含むセッション制御を行うセッション制御部と、
現在時点において自ノードがサポートしているセッション数を監視するセッション数監視部と、
を備え、
前記両通信当事者間でセッションが確立されている場合において、
自ノードが備える前記セッション数監視部が前記セッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報を前記第１交換ノードに通知する
ことを特徴とするセッション管理装置。
【請求項８】
前記セッション管理システムは前記第２交換ノードと前記対向通信当事者との間に介在するルータをさらに備え、
前記複数の第２交換ノードのうち自ノード以外の一のノードが発信した前記接続先情報に含まれる前記第２切替え要求を受信した前記第１交換ノードが、該自ノードを新たな接続先と判定して第１切替え要求を発し、該自ノードが該第１切替え要求を受信したことに基づいて、前記ルータにルーティング変更要求を発して、前記ルータが参照するルーティングテーブルのデータを該自ノードを優先的に経由するルーティングが行われるように変更させる
ことを特徴とする請求項７に記載のセッション管理装置。
【発明の詳細な説明】
【技術分野】
【０００１】
本発明は、端末装置から通信の相手方（ユーザサーバ等）との間に形成されるセッションを管理するセッション管理システム、セッション管理装置に関する。
【背景技術】
【０００２】
近年、ＮＧＮ／ＩＭＳ（Next Generation Network／IP Multimedia Subsystem）ネットワークにおいてＳＩＰに基づく呼のセッション制御を行うＳ-ＣＳＣＦサーバ（Serving Call Server Control Functionサーバ：呼セッション制御サーバ）の割り当てに係る技術提案がなされている（例えば、特許文献１参照）。
特許文献１では、ユーザ端末ＵＥの登録要求のみならず、登録抹消などによりユーザ端末ＵＥの登録状況がＳ−ＣＳＣＦサーバごとに動的に変動を伴っており、一定の順序で順番にＳ−ＣＳＣＦサーバを割り付けていく方法では、各Ｓ−ＣＳＣＦサーバ間で、登録するユーザ端末ＵＥの個数を均等に配分することができず、特定のＳ−ＣＳＣＦサーバに負荷が集中してしまうという現象を解決すべき問題として扱っている。
【０００３】
特許文献１では、上述の問題を解決するために、各Ｓ−ＣＳＣＦサーバにおけるユーザ端末ＵＥの登録状況や各Ｓ−ＣＳＣＦサーバの負荷発生状況を勘案して、各Ｓ−ＣＳＣＦサーバへのユーザ端末ＵＥの登録先を割り当てることにより、各Ｓ−ＣＳＣＦサーバの負荷の均等化を可能とする呼セッション制御サーバ割り当て方法およびシステムが提案されている。
【０００４】
特許文献１の技術提案における呼セッション制御サーバ割り当て方法およびシステムでは、各呼セッション制御サーバ(Ｓ-ＣＳＣＦサーバ)について、呼セッション制御を司る登録ユーザ端末の個数を均等化し、また、負荷の発生状況を均等化する。従って、新たなユーザ端末に割り付ける呼セッション制御サーバ(Ｓ-ＣＳＣＦサーバ)を決定する際に、特定の呼セッション制御サーバ(Ｓ-ＣＳＣＦサーバ)に負荷が集中して、輻輳状態に陥る事態を未然に防止することが可能になるとされている。
【０００５】
また、高頻度の接続切替え負荷及び大量のデータ転送負荷という異なる性質の負荷を分散処理することができ、特定の装置にトラフィックが集中して処理能力が低下するのを抑えるようにした技術が提案されている（例えば、特許文献２参照）。
特許文献２の技術提案では、接続先ネットワークに接続される複数系統のデータ転送部のリソース状況を記憶するリソース記憶部を備え、ここに記憶されたリソース状況に依拠して、動的にデータ転送部の割当てを行い、トラフィックに対する分散制御を実行する。
【先行技術文献】
【特許文献】
【０００６】
【特許文献１】特開２００８−２３６１８３号公報
【特許文献２】特開２００４−２２８８２０号公報
【発明の概要】
【発明が解決しようとする課題】
【０００７】
一般に、端末装置から交換機（ＳＧＳＮ）、交換機（ＧＧＳＮ）、ルータを経てユーザサーバに接続される経路でセッションが確立されるようなパケット通信では、交換機（ＳＧＳＮ）が選択論理（ラウンドロビン等）に従って、ユーザサーバを収容する交換機（ＧＧＳＮ）が選択される。
端末装置とユーザサーバ間でセッションが確立している状況で、或るユーザサーバを収容する交換機（ＧＧＳＮ）が、故障等によって自機を通して確立中の全てのセッションを解放した場合、正規に動作中のその他の交換機（同じユーザサーバを収容する他のＧＧＳＮ）との間でセッションを確立する。
【０００８】
このように他の交換機との間でセッションが確立した後、故障した交換機（ＧＧＳＮ）が復旧しても、既に他の交換機（他のＧＧＳＮ）との間で確立しているセッションは、その終了までは維持される。この結果、正規の動作を維持してきた交換機（ＧＧＳＮ）に一時的に多数のセッションが偏在する状況を呈することがある。
しかしながら、これまで多くのパケット通信では、必要に応じてネットワークへ接続してセッションを確立し、所定の終了条件を満たすとセッションを解放するオンデマンド（On Demand）モードで動作するものであったため、一時的に特定の交換機（ＧＧＳＮ）に多数のセッションが偏在する状況が発生しても、次第にそれらのセッションが終了してゆき、再度セッションを確立するときに、交換機（ＧＧＳＮ）の選択が適切に行われて、やがて上述のようなセッションの偏在は解消する。
【０００９】
従って、上述のような一時的に生じるセッションの偏在については通信システムの運用上自然に発生する現象であると捉えられ、別段の技術課題として解決が待たれる現象であるとは認識されず、現実にもこの点での不具合の発生が報告されることも殆どないまま経過してきた。
一方、近年、多機能携帯電話や自動販売機に組み込まれるモジュール型端末装置では、常態でネットワークに接続されている方式、即ち、セッションが確立した状態を維持する方式が採用されている。そして、このような方式は増加の一途を辿る趨勢にある。
【００１０】
この方式では、所謂オールウェイズオン（Always On）モードが維持されるため、一旦セッションが確立するとパケット通信は常に同じ交換機を通して行われることになる。また、オールウェイズオンモードの仕様である端末装置では、セッションの解放が生じると即座に再発信を行ってセッションの再確立を試みる機能を備えていることが多い。尚、オールウェイズオンモードの仕様である端末装置の相手方となるユーザサーバを収容する交換機（ＧＧＳＮ）は特定のものが割り当てられることが多い。
【００１１】
発明者は、このように、常態ではセッションが途切れることのない方式が採られているときに、そのようなセッションに関与する交換機が故障した場合に生起する現象について種々考察を行った。そして、次のような問題が惹起する蓋然性に想い到った。
即ち、既述のように、端末装置とユーザサーバ間でセッションが確立している状況で、或るユーザサーバを収容する交換機（ＧＧＳＮ）が、故障等によって自機を通して確立中の全てのセッションを解放した場合、故障していない他の交換機を通してセッションが確立する。そして、故障していない他の交換機との間でセッションが確立した後、故障した交換機（ＧＧＳＮ）が復旧しても、既に他の交換機（他のＧＧＳＮ）との間で確立しているオールウェイズオンモードのセッションは終了することなく維持される。
従って、上述同様に、特定の交換機に多くのセッションが偏在する現象が生じるが、一旦生じたセッション数の偏在は、オンデマンドモードでのパケット通信におけるように自然に解消することがなく恒常的な現象となる。
【００１２】
そして、恒常的にセッション数が偏在（自機に集中）している交換機（ＧＧＳＮ）が故障したときには、次のような不具合が懸念される。
第一には、故障の影響を被るユーザ（端末装置）の数が多くなってしまうという大きな問題が生じてしまう。
第二には、故障した交換機（ＧＧＳＮ）で一斉に解放されたセッションの再確立要求が正常に動作中の一の交換機（ＧＧＳＮ）に集中するため、当該一の交換機（ＧＧＳＮ）では往々にしてセッションの確立要求を処理しきれなくなり、輻輳状態を呈する。
第三には、上述のような輻輳が相応の時間が経過して終息した結果、当該一の交換機（ＧＧＳＮ）でセッションが確立すると、今度は、この一の交換機（ＧＧＳＮ）でセッション数の偏在が生じてしまう。
【００１３】
このように、セッション数の恒常的な偏在は種々の不具合を惹起する虞があるが、既述の各特許文献所載の技術では、この問題に効果的に対処することができない。既述の各特許文献所載の技術は、セッション数の偏在を未然に抑止するには有効であっても、上述のようにオールウェイズオンモードで顕著になると予測される恒常的なセッション数の偏在という現象については何等の視点も持っていない。従って、当然ながら、後者の意味合いでのセッション数の偏在に対処する方途は示されていない。
【００１４】
本発明は、発明者による上述のような従来技術の限界の見極めと将来に向けての技術の推移を展望しての洞察による新たな課題認識に基づいてなされたものであり、オンデマンドモードの通信であるかオールウェイズオンモードでの通信であるかによらず、複数の同種の交換機間でそれらがサポートするセッション数の偏在を効果的に解消することができるセッション管理システム、セッション管理装置を提供することをその目的とする。
【課題を解決するための手段】
【００１５】
（１）一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードとを介して確立し得るようになされたセッション管理システムであって、
前記第１交換ノードは、セッションの接続および切断の処理を含むセッション制御を行う第１セッション制御部と、当該セッションの接続に適用する前記第２交換ノードを判別する接続先判別部と、を備え、
前記複数の第２交換ノードは、セッションの接続および切断の処理を含むセッション制御を行う第２セッション制御部と、現在時点において自ノードがサポートしているセッション数を監視するセッション数監視部と、をそれぞれ備え、
前記両通信当事者間でセッションが確立されている場合において、
前記第２交換ノードは、
自ノードが備える前記セッション数監視部が前記セッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報を前記第１交換ノードに通知し、
前記第１交換ノードの前記接続先判別部は、
前記接続先情報に基づいて、前記複数の第２交換ノードのうち現時点でサポートしているセッション数が相対的に少ない一のノードを前記両通信当事者間のセッションに新たに適用する切替先第２交換ノードとして判別し、
前記第１交換ノードの前記第１セッション制御部は、
前記接続先判別部が判別した前記切替先第２交換ノードとのセッションを確立する
ことを特徴とするセッション管理システム。
上記（１）のセッション管理システムでは、一の通信当事者と該一の通信当事者に対する対向通信当事者との両通信当事者間のセッションが、第１交換ノードと、複数のうちの一の第２交換ノードを通してサポートされる。
前記両通信当事者間でセッションが確立されている場合において、第２交換ノードが通知する、自ノードが備える前記セッション数監視部が前記セッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報に基づいて、前記第１交換ノードにおける接続先判別部によって、当該セッションの接続に適用する第２交換ノードの切替え等の判別が実行され、前記第１交換ノードにおける第１セッション制御部によって、前記接続先判別部が判別した前記切替先第２交換ノードとのセッションが確立される。
【００１６】
（２）前記第１交換ノードの前記第１セッション制御部または前記第２交換ノードの前記第２セッション制御部は、
前記第１交換ノードの前記接続先判別部による前記切替先第２交換ノードの判別に先立って、前記第２交換ノードの要求により前記両通信当事者間に係るセッションを切断する
ことを特徴とする（１）のセッション管理システム。
【００１７】
（３）前記第１交換ノードは、ＳＧＳＮ（Serving GPRS Support Node）であり、
前記各第２交換ノードは、ＧＧＳＮ（Gateway GPRS Support Node）であることを特徴
とする（１）または（２）のセッション管理システム。
上記（３）のセッション管理システムでは（１）または（２）のセッション管理システムにおいて特に、第１交換ノードはＳＧＳＮであり、各第２交換ノードはＧＧＳＮである形態でセッション管理システムが構築される。
【００１８】
（４）一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードとを介して確立し得るようになされたセッション管理システムにおける前記第１交換ノードに該当するセッション管理装置であって、
セッションの接続および切断の処理を含むセッション制御を行うセッション制御部と、当該セッションの接続に適用する前記第２交換ノードを判別する接続先判別部と、
を備え、
前記両通信当事者間でセッションが確立されている場合において、
前記接続先判別部は、
前記第２交換ノードから通知される、前記第２交換ノードが自ノードが備えるセッション数監視部において監視するセッション数であって現在時点で自ノードがサポートしているセッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報に基づいて前記複数の第２交換ノードのうち現時点でサポートしているセッション数が相対的に少ない一のノードを前記両通信当事者間のセッションに新たに適用する切替先第２交換ノードとして判別し、
前記セッション制御部は、
前記接続先判別部が判別した前記切替先第２交換ノードとのセッションを確立する
ことを特徴とするセッション管理装置。
上記（４）のセッション管理装置は、一の通信当事者と該一の通信当事者に対する対向通信当事者との両通信当事者間のセッションが、第１交換ノードと、複数のうちの一の第２交換ノードを通してサポートされるセッション管理システムにおける前記第１交換ノードとして本セッション管理装置が機能する。
そして、前記両通信当事者間でセッションが確立されている場合において、第２交換ノードが通知する、当該第２交換ノードが自ノードが備えるセッション数監視部において監視するセッション数であって現在時点で自ノードがサポートしているセッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報に基づいて、第１交換ノードたる自装置における接続先判別部によって、当該セッションの接続に適用する第２交換ノードの切替え等の判別が実行される。
【００１９】
（５）前記接続先判別部は、
前記接続先情報に含まれる前記セッション数情報に基づいて前記第２交換ノードにおいてセッション数の偏在が生じているか否かを判定し、該偏在が生じていると判定した場合に、前記切替先第２交換ノードの判別を行う
ことを特徴とする（４）のセッション管理装置。
【００２０】
（６）前記セッション管理システムは前記第２交換ノードと前記対向通信当事者との間に介在するルータをさらに備え、
前記接続先判別部において、前記接続先情報に含まれる前記第２切替え要求に基づいて前記切替先第２交換ノードを判別し、
前記切替先第２交換ノードに第１切替え要求を発信して、前記切替先第２交換ノードに、該切替先第２交換ノードを優先的に経由するルーティングが行われるように前記ルータに対するルーティング変更要求の発信を促す
ことを特徴とする（４）のセッション管理装置。
【００２２】
（７）一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードとを介して確立し得るようになされたセッション管理システムにおける前記第２交換ノードに該当するセッション管理装置であって、
セッションの接続および切断の処理を含むセッション制御を行うセッション制御部と、
現在時点において自ノードがサポートしているセッション数を監視するセッション数監視部と、
を備え、
前記両通信当事者間でセッションが確立されている場合において、
自ノードが備える前記セッション数監視部が前記セッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報を前記第１交換ノードに通知する
ことを特徴とするセッション管理装置。
上記（７）のセッション管理装置は、一の通信当事者と該一の通信当事者に対する対向通信当事者との両通信当事者間のセッションが、第１交換ノードと、複数のうちの一の第２交換ノードとを通してサポートされるセッション管理システムにおける前記第２交換ノードとして本セッション管理装置が機能する。
そして、前記両通信当事者間でセッションが確立されている場合において、第２交換ノードたる本セッション管理装置が通知する、自ノードが備える前記セッション数監視部が前記セッション数の偏在を検知したことを表すセッション偏在検知情報、前記セッション数に関するセッション数情報及び前記セッション数の偏在を検知したことに基づいて前記第１交換ノードの接続先を自ノード以外に切り替えることを要求する第２切替え要求の何れかを含む接続先情報に基づいて、前記第１交換ノードにおいて、当該セッションの接続に適用する第２交換ノードの切替え等の判別が実行される。
【００２３】
（８）前記セッション管理システムは前記第２交換ノードと前記対向通信当事者との間に介在するルータをさらに備え、
前記複数の第２交換ノードのうち自ノード以外の一のノードが発信した前記接続先情報に含まれる前記第２切替え要求を受信した前記第１交換ノードが、該自ノードを新たな接続先と判定して第１切替え要求を発し、該自ノードが該第１切替え要求を受信したことに基づいて、前記ルータにルーティング変更要求を発して、前記ルータが参照するルーティングテーブルのデータを該自ノードを優先的に経由するルーティングが行われるように変更させる
ことを特徴とする（７）のセッション管理装置。
【発明の効果】
【００２７】
オンデマンドモードの通信であるかオールウェイズオンモードでの通信であるかによらず、交換機に生じるセッションの偏在を解消することができるセッション管理システム、セッション管理装置、セッション管理方法が実現される。
【図面の簡単な説明】
【００２８】
【図１】本発明の第１および第２の実施の形態に共通のセッション管理システムの構成を表す機能ブロック図である。
【図２】本発明の第１の実施の形態としてのセッション管理システムの動作を説明するための概念図である。
【図３】本発明の第１の実施の形態としてのセッション管理システムの動作を表すシーケンスチャートである。
【図４】本発明の第２の実施の形態としてのセッション管理システムの機能および動作を説明するための概念図（切替前）である。
【図５】本発明の第２の実施の形態としてのセッション管理システムの機能および動作を説明するための概念図（切替中）である。
【図６】本発明の第２の実施の形態としてのセッション管理システムの機能および動作を説明するための概念図（切替後）である。
【図７】本発明の第２の実施の形態としてのセッション管理システムの動作を表すシーケンスチャートである。
【発明を実施するための形態】
【００２９】
以下に、図面を参照して本発明の実施の形態について詳述することにより、本発明を明らかにする。
（第１および第２の実施の形態に共通のシステム構成）
図１は、本発明の第１および第２の実施の形態に共通のセッション管理システムの構成を表す機能ブロック図である。
即ち、図１では、本発明の一つの実施の形態としての一のセッション管理装置である第１交換ノード１００と、本発明の一つの実施の形態としての他のセッション管理装置である第２交換ノード２００と、これら各セッション管理装置１００、２００を含んで発明の一つの実施の形態としてのセッション管理システム１０が構成されている。
【００３０】
セッション管理システム１０は、第１交換ノード１００と第２交換ノード２００の他に、この第２交換ノード２００に相当する一または複数の他の第２交換ノード（図示省略）を含んで構成され、後述するように、第１交換ノード１００とこれら複数の第２交換ノードのうちの一のものとが選択的に接続されて当該セッションをサポートする。尚、以下、複数の第２交換ノードについても、適宜、代表的に符号２００を用いて説明する。
【００３１】
そして、このセッション管理システム１０は、一の通信当事者の移動機３００と、この通信当事者（移動機３００）に対する対向通信当事者のサーバ５００との両通信当事者間のセッションを管理する。即ち、相対的に移動機３００寄りに位置する第１交換ノード１００と、相対的にサーバ５００寄りに位置し第１交換ノード１００に選択的に接続される複数の第２交換ノードのうちの一のノード２００とを介してセッションが確立し得るように構成されている。また、第２交換ノード２００とサーバ５００との間にはルータ４００が介在している。
【００３２】
第１交換ノード１００は、セッションの接続および切断の処理を含むセッション制御を行う第１セッション制御部１１０と、外部から通知される自ノードの接続先に関する接続先情報に基づいて当該セッションの接続に適用する第２交換ノード２００を判別する接続先判別部１２０とを備えている。
また、第２交換ノード２００は、セッションの接続および切断の処理を含むセッション制御を行う第２セッション制御部２１０と、現在時点において自ノードがサポートしているセッション数を監視するセッション数監視部２２０とを備えている。そして、本実施の形態における第２交換ノード２００には、外部の保守用端末装置６００からの種々の保守操作を受け付ける保守操作受付部２３０が設けられている。
上述のようなセッション管理システム１０において、第１交換ノード１００はＳＧＳＮ（Serving GPRS Support Node ）として機能し、第２交換ノード２００はＧＧＳＮ（Gateway GPRS Support Node）として機能するように構成されている。
【００３３】
（第１の実施の形態）
次に、図１および図２を参照して、本発明の第１の実施の形態としてのセッション管理システム１０における第１交換ノード１００および第２交換ノード２００等の動作について説明する。
図２は、本発明の第１の実施の形態としてのセッション管理システムの動作を説明するための概念図である。
図２では、一方の通信当事者における複数の移動機３０１、３０２、３０３が、例えば基地局等の無線区間でのセッションをサポートするノードである無線装置７００を介して第１交換ノード１００としてのＳＧＳＮと結ばれている。尚、無線装置７００自体は通常のノードであり、本発明の技術的特徴には直接関与するものではない。このため、セッションがこの無線装置７００を通して接続される状況については、以降、説明は省略する。
【００３４】
そして、ＳＧＳＮ１００と第２交換ノード２００としての複数のＧＧＳＮ−ａ２０１、ＧＧＳＮ−ｂ２０２のうち、当初は、一つのＧＧＳＮ−ａ２０１を介し、更に、ルータ４００を介して、対向通信当事者のサーバ５００との間でのセッションがサポートされている。
図２において、各移動機３０１、３０２、３０３から発せられる如く象徴的に表された矢線図示のセッションは、実際の通信システム（従って、このセッション管理システム１０）では、例えば、Ｔを或る自然数としたとき、矢線１本当たり１Ｔ〜２Ｔセッションに相当する。また、サーバ５００についても、実際には、アクセスポイントの数に相当する複数のものが設置されるが、便宜上、代表的に単一のものの如く表記してある。
【００３５】
図２に表記された矢線が１本当たり２Ｔセッションを代表しているものと仮定すると、ＧＧＳＮ−ａ２０１では、移動機３０１、３０２からの実線図示の２本と移動機３０３からの破線図示の１本の合計３本の矢線に表された６Ｔセッションがサポートされている。
上述のように仮定された状態で、ＧＧＳＮ−ａ２０１のセッション数監視部２２０が６Ｔセッションをサポートしていることを検知する。
【００３６】
ＧＧＳＮ−ａ２０１は、その仕様として、サポート可能なセッション数の上限の値（例えば６Ｔセッション）があるが、通常の運用における定格値は、例えば、能力としての上限値の８０パーセント程度とされる。
尚、サポート可能なセッション数の上限の値およびこれに対応する運用上の定格値は、ＧＧＳＮ−ａ２０１が担うＡＰＮ（Access Point Name）毎に規定される形態が採られ得る。この場合は、ＡＰＮ毎に、例えば、Ｎｏ．１は定格数２Ｔセッション、Ｎｏ．２は定格数１Ｔセッションといったようにサポートするセッション数の閾値が配分される。
【００３７】
ここでは、便宜上、ＡＰＮ毎に定格セッション数を配分する場合をも含んでＧＧＳＮ−ａ２０１においてサポートするセッション数の定格値として説明する。
ＧＧＳＮ−ａ２０１はそのセッション数監視部２２０において定格値（例えば、６Ｔ×０．８セッション）を超えた値（例えば６Ｔセッション）のセッションをサポートする状態に到ったことを検知すると、この結果をＧＧＳＮ−ａ２０１内の第２セッション制御部２１０に通知する。
【００３８】
また、これと同時に、セッション数が定格値（閾値）を超えた旨の制御信号（不図示）をＳＧＳＮ１００における接続先判別部１２０に送信する。
上述の通知を受けたＧＧＳＮ−ａ２０１内の第２セッション制御部２１０は、例えば、特定のセッションとしての移動機３０３に関するセッション（破線の矢線にて図示）を解放する。この解放は、当該セッションが所謂オールウェイズオン（Always On）モードのものであった場合についても例外なく行われる態様で実行され得る。
【００３９】
移動機３０３では、セッションが断たれると、直ちに再発信の動作を起こす。
上述のように、セッションが断たれると直ちに再発信の動作を起こすのは、所謂オールウェイズオンモードをノーマルモードとする移動機における一般的仕様である。この仕様による移動機は「オールウェイズオン端末」或いは「常時接続端末」と称呼され、常時セッションの維持を図るように動作する。また、機能上このような移動機相当の通信モジュールである場合も上記同様にセッションの維持を図るように動作する。尚、オンデマンドモードで動作している移動機においてセッションが断たれた場合であっても、多くの場合、ユーザが直ちに再接続を試みるのが通例であり、このような例も、上記における「直ちに再発信の動作を起こす」場合に該当する。
【００４０】
移動機３０３からの、この再発信における接続要求を受けたＳＧＳＮ１００では、上述の如くＧＧＳＮ−ａ２０１からのセッション数超過の旨の制御信号を受けた自ノード内の接続先判別部１２０が、ＧＧＳＮ−ａ２０１と同様に対向通信当事者のサーバ５００を収容しているＧＧＳＮ−ｂ２０２を経由するように接続先を切替えて、一点鎖線（矢線）で図示の如くセッションを確立させる。この場合の接続先の切替えはＳＧＳＮ１００におけるセッション制御部１１０によって実行される。
【００４１】
この結果、移動機３０３からのセッションは、当初、移動機３０３→無線装置７００→ＳＧＳＮ１００→ＧＧＳＮ−ａ２０１→ルータ４００→サーバ５００の経路で接続されていたところ、接断後に、移動機３０３→無線装置７００→ＳＧＳＮ１００→ＧＧＳＮ−ｂ２０２→ルータ４００→サーバ５００の経路に切替えられてセッションが再度確立する。これによって、各ＧＧＳＮ（代表的に２０１、２０２の２基を表記）に係るセッション数の平準化が図られる。
【００４２】
尚、上述においては、ＧＧＳＮ−ａ２０１は自装置における定格値（閾値）との対比においてセッション数の自装置への集中（偏在）を判定して、この判定結果をＳＧＳＮ１００に送信する態様を採っている。しかしながら、本発明のセッション管理システムでは、この態様に限られず、各ＧＧＳＮが、現在時点でサポートしているセッション数をＳＧＳＮに通知し、ＳＧＳＮ側で各ＧＧＳＮがサポートしているセッション数が偏在を来たしていないか否かを判定する態様を採ることもできる。
後者の態様では、各ＧＧＳＮから各別にサポート中のセッション数のデータをそれぞれＳＧＳＮに通知し、この通知を受けたＳＧＳＮの接続先判定部１２０で各ＧＧＳＮにおけるセッション数の現在時点での分布を勘案して、セッションを再度確立する機会にその数の平準化を図る。
【００４３】
次に、図３を参照して、本発明の第１の実施の形態の動作について更に詳述する。
図３は、本発明の第１の実施の形態としてのセッション管理システムの動作を表すシーケンスチャートである。
図１および図２を参照して既述のようなシステムにおいて、通信セッションが確立している状態において、ＧＧＳＮ−ａ２０１（そのセッション数監視部２２０）がセッションの偏り（自装置へのセッションの集中）を検知すると（ステップＳ３０１）、ＧＧＳＮ−ａ２０１においてセッション解放指示信号が生成される（ステップＳ３０２）。
【００４４】
尚、上記におけるセッションの偏りの検知は、例えば、一定の周期で自動的に行われるようにしてもよい。或いはまた、図１を参照して既述の保守用端末装置６００を用いた保守作業者の任意時点での操作に基づいて、ＧＧＳＮ−ａ２０１の保守操作受付部２３０がセッション数監視部２２０における検知動作を起動させるようにして行ってもよい。
ステップＳ３０２で生成されたセッションの解放指示信号は、セッションの解放要求としてＧＧＳＮ−ａ２０１からＳＧＳＮ１００に送信される（ステップＳ３０３）。
【００４５】
ステップＳ３０３での解放要求を受けたＳＧＳＮ１００は、該当するセッションの解放を行い（ステップＳ３０４）、移動機および無線装置（３００、７００）にセッションの解放要求を発する（ステップＳ３０５）。
ステップＳ３０５での解放要求を受けた移動機および無線装置（３００、７００）は、該当するセッションの解放を行い（ステップＳ３０６）、セッションの解放完了通知をＳＧＳＮ１００に返す（ステップＳ３０７）。
ステップＳ３０７でＳＧＳＮ１００が受けた解放完了通知は、ＧＧＳＮ−ａ２０１まで転送される（ステップＳ３０８）。
一方、移動機３００では、セッション解放後に、即座に再発信処理を起動する（ステップＳ３０９）。
【００４６】
ステップＳ３０９で起動した再発信処理に基づいて、セッションの接続要求が移動機および無線装置（３００、７００）からＳＧＳＮ１００に発せられる（ステップＳ３１０）。
ステップＳ３１０での接続要求を受けたＳＧＳＮ１００では、その接続先判別部１２０が、セッションの接続に適用するノードとして、当該時点でサポートしているセッション数が相対的に少ないＧＧＳＮ−ｂ２０２を選択する（ステップＳ３１１）。
次いで、ステップＳ３１１で選択したＧＧＳＮ−ｂ２０２に対し、接続要求を発する（ステップＳ３１２）。
【００４７】
ステップＳ３１２の接続要求を受けたＧＧＳＮ−ｂ２０２では、自装置を通してのセッションを確立させ（ステップＳ３１３）、接続完了通知をＳＧＳＮ１００に返す（ステップＳ３１４）。
ステップＳ３１４での接続完了通知を受けたＳＧＳＮ１００は、その接続完了通知を移動機および無線装置（３００、７００）に転送する（ステップＳ３１５）。
以上の結果、ＧＧＳＮ−ａ２０１にセッションが集中していたセッション数の偏在状態が解消する。
【００４８】
（第２の実施の形態）
次に、図４乃至図６を参照して、本発明の第２の実施の形態について説明する。
尚、この第２の実施の形態は、機能ブロック図上は、図１に表されたものと相違しないが、ルータ４００の機能、および、ルータ４００に対するＳＧＳＮおよび各ＧＧＳＮの関与の態様が異なる。
図４は、本発明の第２の実施の形態としてのセッション管理システムの機能および動作を説明するための概念図であり、セッションをサポートする経路の切替え前の状態が表されている。
図４において、ＩＰアドレスＡの移動機３０１と対応する通信当事者のサーバ５００との間は、一点鎖線の経路、即ち、移動機３０１←→無線装置７００←→ＳＧＳＮ１００←→ＧＧＳＮ−ａ２０１←→ルータ４００←→サーバ５００の経路でセッションがサポートされている。
【００４９】
また、ＩＰアドレスＢの移動機３０２と対応する通信当事者のサーバ５００との間は、二点鎖線の経路、即ち、移動機３０２←→無線装置７００←→ＳＧＳＮ１００←→ＧＧＳＮ−ｂ２０２←→ルータ４００←→サーバ５００の経路でセッションがサポートされている。
上述のような、セッションをサポートする経路を切替える以前の状態では、ルータ４００では、図示のようなルーティングテーブル（切替前）が適用されてルーティングが行われている。
【００５０】
このルーティングテーブルでは、「宛て先」とはサーバ５００側から見た通信の相手方であり、「ネクストホップ」とはルータ４００からＧＧＳＮ側を見た次の接続先であり、「優先度」とは当該セッションをサポートするに適用するＧＧＳＮの選択における優先度合いである。
図５は、本発明の第２の実施の形態としてのセッション管理システムの機能および動作を説明するための概念図であり、セッションをサポートする経路の切替え中の状態が表されている。
【００５１】
既述の図４におけるような経路でセッションがサポートされている状態で、一点鎖線にて図示の、移動機３０１←→無線装置７００←→ＳＧＳＮ１００←→ＧＧＳＮ−ａ２０１←→ルータ４００←→サーバ５００の経路にセッションが集中して、ＧＧＳＮ−ａ２０１におけるセッションの偏在が生じたと仮定する。
上述のようなセッション数の偏在が生じると、ＧＧＳＮ−ａ２０１はそのセッション数監視部２２０でセッション数の偏在を検知し、ＳＧＳＮ１００（その接続先判定部１２０）にセッションを担うノードの切替え要求信号を送信する（ステップＳ５０１）。
【００５２】
ステップＳ５０１で切替え要求信号を受けたＳＧＳＮ１００では、セッションを担うことを要求する切替え要求信号を、ＧＧＳＮ−ａ２０１と同じユーザサーバ５００を収容するＧＧＳＮ−ｂ２０２に送信する（ステップＳ５０２）。
ステップＳ５０２での切替え要求に際しては、ＧＧＳＮ−ａ２０１から切替えを要求された旨と、切替え対象となるセッションの情報（ユーザ識別情報や移動機のＩＰアドレス等）をＧＧＳＮ−ｂ２０２に通知する。
ステップＳ５０２での切替え要求を受けたＧＧＳＮ−ｂ２０２では、通知された移動機のＩＰアドレスを含むセッションをサポートするノードの割り当てに係るルーティング制御に適用するルーティングテーブル（その参照情報）の変更（アップデート）要求をルータ４００に通知する（ステップＳ５０３）。
【００５３】
図５のルータ４００に関連して表記されたルーティングテーブルの上半分の欄は、図４におけるルーティングテーブル（切替前）と同様の表記形式である。即ち、「宛て先」とはサーバ５００側から見た通信の相手方であり、「ネクストホップ」とはルータ４００からＧＧＳＮ側を見た次の接続先であり、「優先度」とは当該セッションをサポートするに適用するＧＧＳＮの選択における優先度合いである。また、内容も図４のものと同じである。
【００５４】
そして、図５のルータ４００に関連して表記されたルーティングテーブルの下半分の欄は、図４におけるルーティングテーブル（切替前）と同様の表記形式であるが、内容は、ＩＰアドレスＡに係るネクストホップのＧＧＳＮ選択の優先度がＧＧＳＮ−ｂ２０２優先になっている点で相違する。
このため、ルーティングテーブル（切替後）のデータに従って、下り通信（サーバ５００→…→ＩＰアドレスＡ）はＧＧＳＮ−ｂ２０２経由に切替わる。
【００５５】
上述のように下り通信がＧＧＳＮ−ｂ２０２経由に切替わると、ＧＧＳＮ−ｂ２０２は、切替えが完了した旨をＳＧＳＮ１００に通知する（ステップＳ５０４）。
ステップＳ５０４の通知を受けると、ＳＧＳＮ１００は、切替えが完了した旨をＧＧＳＮ−ａ２０１に通知する（ステップＳ５０５）。
ステップＳ５０５以降、上り通信（ＩＰアドレスＡ→…→サーバ５００）もＧＧＳＮ−ｂ２０２経由で行われる。
【００５６】
以上、図５を参照して説明した第２の実施の形態におけるセッションをサポートする経路の切替え方式では、ＳＧＳＮ１００→…→移動機３０１（ＩＰアドレスＡ）間でセッションの解放を行わないため、通信当事者には感知されずにセッションの偏在を解消することが可能である。
また、ＳＧＳＮ、ＧＧＳＮ、および、ルータ間のみでの制御信号の授受によって通信経路の切替えが完了するため、移動機、無線装置、および、ＳＧＳＮ間が切替え制御信号の授受によってネットワークのリソースを消費してしまうことがない。
【００５７】
図６は、本発明の第２の実施の形態としてのセッション管理システムの機能および動作を説明するための概念図（切替後）である。
既述の図５におけるような経路の切替えが行われた結果、一点鎖線にて図示の、移動機３０１←→無線装置７００←→ＳＧＳＮ１００←→ＧＧＳＮ−ｂ２０２←→ルータ４００←→サーバ５００の経路でのセッションが確立する。
また、二点鎖線にて図示の、移動機３０２←→無線装置７００←→ＳＧＳＮ１００←→ＧＧＳＮ−ｂ２０２←→ルータ４００←→サーバ５００の経路でのセッションが確立する。
即ち、一点鎖線にて図示の経路も、二点鎖線にて図示の経路も、共に、ＧＧＳＮ−ｂ２０２を経由してセッションをサポートしている。
【００５８】
この場合、ルータ４００では、図示のようなルーティングテーブル（切替後）が適用される。即ち、このルーティングテーブル（切替後）は、図５に表記された既述のルーティングテーブルの下半分の欄と同じ内容であり、ＩＰアドレスＡに係るネクストホップのＧＧＳＮ選択の優先度がＧＧＳＮ−ｂ２０２優先になっている。そして、このルーティングテーブル（切替後）に依拠したルーティングが行われる結果、ＧＧＳＮ−ｂ２０２を優先的に経由した経路によってセッションがサポートされるようになり、図４を参照して既述のようなセッション数の偏在が解消される。
【００５９】
次に、図７を参照して、本発明の第２の実施の形態の動作について更に詳述する。
図７は、本発明の第２の実施の形態としてのセッション管理システムの動作を表すシーケンスチャートである。
通信セッションが確立している状態（通信中）において、ＧＧＳＮ−ａ２０１（そのセッション数監視部２２０）がセッションの偏り（自装置へのセッションの集中）を検知すると（ステップＳ７０１）、ＧＧＳＮ−ａ２０１においてセッション接続先のＧＧＳＮを切替えるための接続先切替指示信号が生成される（ステップＳ７０２）。
【００６０】
尚、上記におけるセッションの偏りの検知は、例えば、一定の周期で自動的に行われるようにしてもよい。或いはまた、図１を参照して既述の保守用端末装置６００を用いた保守作業者の任意時点での操作に基づいて、ＧＧＳＮ−ａ２０１の保守操作受付部２３０がセッション数監視部２２０における検知動作を起動させるようにして行ってもよい。
ステップＳ７０２で生成されたＧＧＳＮの切替指示信号は、セッションの切替え要求としてＧＧＳＮ−ａ２０１からＳＧＳＮ１００に送信される（ステップＳ７０３）。上述のセッションの切替え要求には、切替え対象のセッションに関するＩＰアドレス、通信当事者を特定する識別子、および、接続先を表す情報等が含まれる。
【００６１】
ステップＳ７０３での切替え要求を受けたＳＧＳＮ１００は、ＧＧＳＮ−ａ２０１と同じサーバを収容する他のＧＧＳＮを特定する（ステップＳ７０４）。この特定は、サポートしているセッション数が相対的に少ない他のＧＧＳＮを優先的に選択することによりセッション数の振り分けをする如くして実行され得る。図示の例ではＧＧＳＮ−ｂ２０２が特定される。
次いで、ＳＧＳＮ１００からＧＧＳＮ−ｂ２０２に切替え要求が発せられる（ステップＳ７０５）。
【００６２】
ステップＳ７０５の切替え要求を受けたＧＧＳＮ−ｂ２０２では、切替え対象となるセッションの確立処理を実行する（ステップＳ７０６）。
ステップＳ７０６でのセッションの確立処理の実行に次いで、ＧＧＳＮ−ｂ２０２はルータ４００にルーティング変更要求を発する（ステップＳ７０７）。このルーティング変更要求は図５を参照して既述の、ルーティングテーブルの参照データの変更（アップデート）である。
一方、ＧＧＳＮ−ｂ２０２は、ステップＳ７０７でのルーティング変更要求の発信に次いで、ＳＧＳＮ１００にルーティングの変更完了通知を発する（ステップＳ７０９）。
ステップＳ７０９でルーティングの変更完了通知を受けたＳＧＳＮ１００は、切替え対象のセッションの確立処理を実行し（ステップＳ７１０）、変更完了通知をＧＧＳＮ−ａ２０１に送信する（ステップＳ７１１）。
【００６３】
ステップＳ７１１で変更完了通知を受けたＧＧＳＮ−ａ２０１は、それまで維持していた旧セッションの解放処理を実行する（ステップＳ７１２）。
図７を参照して上述したように、或るノード（ＧＧＳＮ−ａ２０１）がサポートしているセッション数が既定値を超過した場合に、ルータにおいて適用するルーティングテーブルを変更することによって、セッションの偏り（特定のノードへのセッションの集中）を解消することができる。
【００６４】
以上、図４〜図７を参照して説明した第２の実施の形態の技術は、次に列記する〔Ａ１〕〜〔Ａ１０〕のように要約される。
〔Ａ１〕
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードと、当該一のノードと前記対向通信当事者との間に介在するルータと、を介して確立し得るようになされたセッション管理システムであって、
前記第１交換ノードは、セッションの接続および切断の処理を含むセッション制御を行う第１セッション制御部と、外部から通知される自ノードの接続先に関する接続先情報に基づいて当該セッションの接続に適用する前記第２交換ノードを判別する接続先判別部と、を備え、
前記複数の各第２交換ノードは、セッションの接続および切断の処理を含むセッション制御を行う第２セッション制御部と、現在時点において自ノードがサポートしているセッション数を監視するセッション数監視部と、をそれぞれ備え、
前記ルータは、該当する前記第２交換ノードの前記第２セッション制御部からのルーティング情報変更要求に応じてルーティング制御に適用するルーティングテーブルに係る変更を行うように構成されていることを特徴とするセッション管理システム。
【００６５】
〔Ａ２〕
前記第１交換ノードは、ＳＧＳＮ（Serving GPRS Support Node ）であり、
前記各第２交換ノードは、ＧＧＳＮ（Gateway GPRS Support Node）であることを特徴とする〔Ａ１〕に記載のセッション管理システム。
〔Ａ３〕
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードと、当該一のノードと前記対向通信当事者との間に介在するルータと、を介して確立し得るようになされたセッション管理システムにおける前記第１交換ノードに該当するセッション管理装置であって、
セッションの接続および切断の処理を含むセッション制御を行うセッション制御部と、
外部から通知される自ノードの接続先に関する接続先情報に基づいて当該セッションの接続に適用する前記第２交換ノードを判別する接続先判別部と、
を備えていることを特徴とするセッション管理装置。
【００６６】
〔Ａ４〕
前記接続先判別部は、前記接続先情報としての第２交換ノードがサポートしているセッションの数を表すセッション数情報に基づいて当該セッションの接続に適用する前記第２交換ノードを判別することを特徴とする〔Ａ３〕に記載のセッション管理装置。
〔Ａ５〕
前記接続先判別部は、複数の前記第２交換ノードにおいて各別にサポートしているセッション数を表す各セッション数情報に基づいて複数の前記第２交換ノードにおいて各別にサポートしているセッションの分配状況を表すセッション分配情報に基づいて当該セッションの接続に適用する前記第２交換ノードを判別することを特徴とする〔Ａ３〕に記載のセッション管理装置。
【００６７】
〔Ａ６〕
前記セッション管理システムにおけるＳＧＳＮを構成することを特徴とする〔Ａ３〕乃至〔Ａ５〕の何れか一項に記載のセッション管理装置。
〔Ａ７〕
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードと、当該一のノードと前記対向通信当事者との間に介在するルータと、を介して確立し得るようになされたセッション管理システムにおける前記第２交換ノードに該当するセッション管理装置であって、
セッションの接続および切断の処理を含むセッション制御を行うセッション制御部と、
現在時点において自ノードがサポートしているセッション数を監視するセッション数監視部と、
を備えていることを特徴とするセッション管理装置。
【００６８】
〔Ａ８〕
前記セッション数監視部によって監視しているセッション数に応じて、前記第１交換ノードに接続されるノードを前記複数の第２交換ノードのうちの他のノードに切替える切替え要求を前記第１交換ノードに発する切替え要求発信部を更に備えていることを特徴とする〔Ａ７〕に記載のセッション管理装置。
〔Ａ９〕
前記切替え要求発信部が切替え要求を前記第１交換ノードに発する場合に、前記セッション管理システムにおいて当該セッションをサポートするルータが参照するルーティングテーブル上の適用するルーティングデータを変更するルーティングデータ変更要求を前記ルータに発するルーティングデータ変更要求発信部を更に備えていることを特徴とする〔Ａ８〕に記載のセッション管理装置。
【００６９】
〔Ａ１０〕
前記セッション管理システムにおけるＧＧＳＮを構成することを特徴とする〔Ａ７〕乃至〔Ａ９〕の何れか一項に記載のセッション管理装置。
〔Ａ１１〕
一の通信当事者と該一の通信当事者に対する対向通信当事者との両通信当事者間のセッションが、相対的に前記一の通信当事者寄りに位置する第１の交換機能を有する第１交換ノードと、相対的に前記対向通信当事者寄りに位置し前記第１交換ノードに選択的に接続される第２の交換機能を有する複数の第２交換ノードのうちの一のノードと、当該一のノードと前記対向通信当事者との間に介在するルータと、を介して確立し得るようになされたセッション管理システムにおける前記ルータであって、
当該一のノードからの変更要求に応じてルーティング制御に適用するルーティングテーブルを変更するように構成されていることを特徴とするルータ。
【符号の説明】
【００７０】
１０………………………………セッション管理システム
１００……………………………第１交換ノード（セッション管理装置）
１１０……………………………第１セッション制御部
１２０……………………………接続先判別部
２００，２０１，２０２………第２交換ノード（セッション管理装置）
２１０……………………………第２セッション制御部
２２０……………………………セッション数監視部
２３０……………………………保守操作受付部
３００（３０１〜３０３）……移動機
４００……………………………ルータ
５００……………………………サーバ
６００……………………………保守用端末装置
【図１】
0005584104.tif 000002
【図２】
0005584104.tif 000003
【図３】
0005584104.tif 000004
【図４】
0005584104.tif 000005
【図５】
0005584104.tif 000006
【図６】
0005584104.tif 000007
【図７】
0005584104.tif 000008